(57)【要約】【課題】侵入阻止部の部品点数を削減でき、かつ機器本体内部の部品の配置に与える影響を抑制できる電子機器を提供する。【解決手段】カーナビ１は機器本体２と表示ユニット３とディスクプレーヤ５と侵入阻止部６を備えている。表示ユニット３は機器本体２に出し入れ自在である。機器本体２の前面には表示ユニット３とディスクプレーヤ５との間に隙間２ｃが設けられている。侵入阻止部６は駆動シャフト８と押圧部９を備えている。駆動シャフト８は隙間２ｃ内に配置され回転自在に設けられたシャフト１６とこのシャフト１６の端部に設けられた連動突起１７とシャフト１６の中央部に設けられた阻止突起１８を備えている。押圧部９は表示ユニット３が機器本体２外に排出される際に連動突起１７を押圧してシャフト１６を回転させて阻止突起１８が隙間２ｃを塞ぐ位置に位置付ける。【選択図】図１１
2009266313.tif 000002
【特許請求の範囲】
【請求項１】
機器本体と、
前記機器本体内に設けられかつ前記機器本体から出し入れ自在に設けられた第１機器と、
前記機器本体内に設けられかつ前記第１機器に重ねられる第２機器と、
前記機器本体の前面において前記第１機器と前記第２機器との間に設けられた隙間に記録媒体が侵入することを阻止する侵入阻止部と、を備えた電子機器において、
前記侵入阻止部は、前記隙間内に回転自在に設けられたシャフトと、前記シャフトの外表面から凸の連動突起と、前記シャフトの外表面から凸でかつ前記隙間への前記記録媒体の侵入を阻止する阻止突起と、前記第１機器が前記機器本体外に排出される際に前記連動突起を押圧して、前記シャフトを回転させて前記阻止突起が前記隙間を塞ぐ位置に位置付ける押圧部と、を備えたことを特徴とする電子機器。
【請求項２】
前記阻止突起は、前記シャフトの周方向の位置が前記連動突起よりも前記第１機器が前記機器本体外に排出される際の前記シャフトの回転方向の逆方向側に配置されていることを特徴とする請求項１記載の電子機器。
【請求項３】
前記阻止突起は、前記シャフトの長手方向の中央部に設けられていることを特徴とする請求項１又は請求項２記載の電子機器。
【請求項４】
前記連動突起は、前記シャフトの長手方向の端部に設けられていることを特徴とする請求項３記載の電子機器。
【発明の詳細な説明】
【技術分野】
【０００１】
本発明は、例えば自動車等の移動体に装着されるとともに、機器本体に対して出し入れ自在に設けられた第１機器とこの第１機器に重ねられた第２機器とを備えた電子機器に関する。
【背景技術】
【０００２】
従来から、移動体としての自動車には、電子機器としてのナビゲーション装置（以下カーナビと呼び、図１乃至図３に一部を例示し、例えば、特許文献１参照）が取り付けられることがある。図１に一部例示されたカーナビ１００は、箱状の機器本体と、この機器本体に出し入れ自在な第１機器としての表示ユニット１０１と、前記表示ユニット１０１に重ねられた第２機器としてのディスクプレーヤと、表示ユニット１０１を出し入れする駆動機構と、を備えている。
【０００３】
機器本体は、扁平な箱状に形成されており、前述した自動車のインストルメントパネルに取り付けられる。機器本体は、板金などが折り曲げられて得られた固定シャーシ１０２を備えている。
【０００４】
表示ユニット１０１は、扁平な板状に形成されており、例えば、ＬＣＤ（Liquid Crystal Display）などの表示パネルを備えている。表示ユニットは、表示パネルに後述するナビゲーションユニットからの情報、ディスク駆動装置が再生した情報や、テレビチューナが受信したテレビ映像を表示する。表示ユニット１０１は、駆動機構によって、機器本体の前面に設けられた開口部を通して、当該機器本体に出し入れ自在に設けられている。
【０００５】
ディスクプレーヤは、機器本体内に収容されており、かつ機器本体内の表示ユニット１０１の下側に重ねられている。ディスクプレーヤは、ナビゲーションユニット、テレビチューナや、ＤＶＤ（Digital Versatile Disk）プレーヤなどを備えている。また、ディスクプレーヤは、その前面に記録媒体としてのＤＶＤを出し入れするための挿入口を設けている。
【０００６】
また、駆動機構は、前述した表示ユニット１０１を機器本体に出し入れする。駆動機構は、表示パネルが下方に相対する状態で前述した表示ユニット１０１を機器本体に収容した収容位置と、この表示ユニット１０１を表示パネルの表面に沿って機器本体外に位置付けた排出位置とに亘って、前記表示ユニット１０１を移動する。また、駆動機構は、前述した排出位置において、表示ユニット１０１の一端部としての下端部を中心として回転して、表示パネルを使用者に対して相対させたり、表示パネルを下方に相対させる。
【０００７】
前述した特許文献１に示されたカーナビ１００は、機器本体内に表示ユニット１０１を収容した状態で、駆動機構が表示パネルの表面に沿って表示ユニット１０１を機器本体外に一旦移動する。そして、駆動機構が、下端部を中心として表示ユニット１０１を回転して、表示パネルを前述した自動車の乗員などに相対させる。そして、前述したカーナビ１００は、ナビゲーションユニットからの情報、ＤＶＤプレーヤが再生した情報や、テレビチューナが受信したテレビ映像を表示パネルに表示する。
【０００８】
また、図１に例示されたカーナビ１００は、表示ユニット１０１を機器本体に出し入れするために、当該機器本体の前面において、表示ユニット１０１とディスクプレーヤとの間に隙間が設けられている。このため、カーナビ１００は、図１乃至図３に示すように、前記隙間にＤＶＤ等のディスクが侵入することを阻止する侵入阻止部１０３を備えている。
【０００９】
侵入阻止部１０３は、駆動機構のシャーシ１０４に表示ユニット１０１の出し入れ方向に沿って移動自在に設けられた平板状の第１ホルダ１０５と、駆動機構のシャーシ１０４に機器本体の奥側の一端部を中心として回転自在に支持された平板状の第２ホルダ１０６と、前記第２ホルダ１０６の他端部が前記隙間から退避する方向に当該第２ホルダ１０６を付勢する板ばね１０７とを備えている。
【００１０】
第１ホルダ１０５は、その長手方向が機器本体の幅方向と平行に配置されている。第１ホルダ１０５は、表示ユニット１０１が前記排出位置に位置付けられると、固定シャーシ１０２と接触して、当該固定シャーシ１０２により機器本体の奥側に押圧される。第１ホルダ１０５の他端部には、第２ホルダ１０６の機器本体の外側の他端部が重ねられている。第１ホルダ１０５の他端部には、突起１０８が設けられている。突起１０８は、第２ホルダ１０６側に向かって凸に形成されている。
【００１１】
第２ホルダ１０６は、第１ホルダ１０５の突起１０８によって押圧されると、前記他端部が隙間に突出して、当該隙間へのＤＶＤ等のディスクの侵入を阻止する。
【００１２】
前述した侵入阻止部１０３は、表示ユニット１０１が収容位置に位置付けられていると、板ばね１０７の付勢力により、突起１０８が第２ホルダ１０６と重なることなく当該第２ホルダ１０６の他端部が隙間から退避した状態となっている。そして、侵入阻止部１０３は、表示ユニット１０１が機器本体から排出されて、当該表示ユニット１０１が排出位置の近傍に位置付けると、固定シャーシ１０２が第１ホルダ１０５に接触して、当該固定シャーシ１０２が第１ホルダ１０５を駆動機構のシャーシ１０４に対して機器本体の奥側に押圧する。
【００１３】
そして、侵入阻止部１０３は、表示ユニット１０１が排出位置に位置付けられると、第１ホルダ１０５の他端部に設けられた突起１０８が駆動機構のシャーシ１０４と第２ホルダ１０６との間に侵入して、第２ホルダ１０６を一端部を中心として回転させて、当該第２ホルダ１０６の他端部を隙間内に位置付ける。こうして、侵入阻止部１０３は、第２ホルダ１０６の他端部により前述した隙間にＤＶＤなどが侵入することを阻止する。
【特許文献１】特開２００２−５５６２５号公報
【発明の開示】
【発明が解決しようとする課題】
【００１４】
前述したカーナビ１００は、表示ユニット１０１を機器本体外に排出した状態で前述した隙間内にＤＶＤ等のディスクの侵入を防止するための侵入阻止部１０３が、第１ホルダ１０５と、第２ホルダ１０６と、板ばね１０７とを備えているために、部品点数が増加してコストが高騰するとともに、ホルダ１０５，０６が平板状に形成されているので、設置に係るスペースが増加して、表示ユニット１０１とディスクプレーヤとの接続に必要なコネクタの設置に制限が生じるなど、機器本体内部の他の電気回路や電子部品のレイアウトの自由度が減少してしまう。
【００１５】
したがって、本発明の目的は、例えば、侵入阻止部の部品点数を削減でき、かつ機器本体内部の部品の配置に与える影響を抑制できる電子機器を提供することにある。
【課題を解決するための手段】
【００１６】
前記課題を解決し目的を達成するために、請求項１に記載の本発明の電子機器は、機器本体と、前記機器本体内に設けられかつ前記機器本体から出し入れ自在に設けられた第１機器と、前記機器本体内に設けられかつ前記第１機器に重ねられる第２機器と、前記機器本体の前面において前記第１機器と前記第２機器との間に設けられた隙間に記録媒体が侵入することを阻止する侵入阻止部と、を備えた電子機器において、前記侵入阻止部は、前記隙間内に回転自在に設けられたシャフトと、前記シャフトの外表面から凸の連動突起と、前記シャフトの外表面から凸でかつ前記隙間への前記記録媒体の侵入を阻止する阻止突起と、前記第１機器が前記機器本体外に排出される際に前記連動突起を押圧して、前記シャフトを回転させて前記阻止突起が前記隙間を塞ぐ位置に位置付ける押圧部と、を備えたことを特徴としている。
【発明を実施するための最良の形態】
【００１７】
以下、本発明の一実施形態にかかる電子機器を説明する。本発明の一実施形態にかかる電子機器は、侵入阻止部が、連動突起及び阻止突起を設けたシャフトと、連動突起を押圧する押圧部とにより構成されているので、当該侵入阻止部の部品点数を削減できる。また、前述した電子機器は、シャフトと押圧部により侵入阻止部を構成しているので、設置に係るスペースを削減できる。よって、前述した電子機器は、機器本体内部の部品の配置に与える影響を抑制することができる。
【００１８】
また、阻止突起を連動突起よりもシャフトの回転方向の逆方向側に配置しても良い。この場合、第１機器が機器本体外に排出された状態で阻止突起をＤＶＤ等のディスクなどが押圧しても、連動突起と押圧部とが互いに干渉して、シャフトが回転することを防止できる。したがって、阻止突起が、ＤＶＤ等のディスクなどが隙間に侵入することを確実に防止できる。
【００１９】
さらに、阻止突起をシャフトの長手方向の中央部に設けても良い。この場合、当該阻止突起が隙間の中央に位置するので、阻止突起が、ＤＶＤ等のディスクなどが隙間に侵入することをより確実に防止できる。
【００２０】
また、連動突起をシャフトの長手方向の端部に設けても良い。この場合、連動突起により、シャフトの中央部に設けられた阻止突起が小さくなることを防止でき、当該阻止突起の寸法を大きくとることができる。したがって、阻止突起が、ＤＶＤ等のディスクなどが隙間に侵入することをより一層確実に防止できる。
【実施例】
【００２１】
本発明の一実施例を、図４ないし図１７に基づいて説明する。電子機器としてのカーナビゲーション装置（以下、カーナビと呼ぶ）１は、図４などに示すように、移動体としての自動車の被取付物としてのインストルメントパネル（以下、インパネと呼ぶ）Ｄなどに装着される。
【００２２】
カーナビ１は、図５ないし図８に示すように、機器本体２と、機器本体２内に出し入れ自在に設けられた第１機器としての表示ユニット３と、機器本体２内に表示ユニット３を出し入れする移送手段としての駆動機構４（図９及び図１０に示す）と、前記機器本体２内に設けられかつ前記表示ユニット３に重ねられる第２機器としてのディスクプレーヤ５と、侵入阻止部６と、を備えている。
【００２３】
機器本体２は、扁平な箱状に形成されている。機器本体２は、インパネＤに取り付けられる。機器本体２は、インパネＤに装着された際に、自動車の乗員室側に相対向する前面２ｄに開口部２ａと後述のＤＶＤ―ＲＯＭやＤＶＤビデオなどを出し入れする挿入口２ｂとを設けている。前面２ｄにおいて、開口部２ａが挿入口２ｂの上方に配置されている。
【００２４】
なお、以下、前述したＤＶＤ―ＲＯＭやＤＶＤビデオなどを出し入れする際にこれらを移動する方向を奥行き方向Ｙとし、前述したＤＶＤ―ＲＯＭやＤＶＤビデオの表面と平行でかつ奥行き方向Ｙと直交する方向を幅方向Ｘとし、前述した幅方向Ｘと奥行き方向Ｙとの双方と直交する方向を厚み方向Ｚとする。
【００２５】
表示ユニット３は、液晶ディスプレイ（Liquid Crystal Display）などからなる文字や画像などの情報を運転者などに向かって表示して視認させるための表示面としての表示パネル３ａと、この表示パネル３ａを収容する筐体部材３ｂなどを備えている。表示ユニット３は、前記機器本体２内に、表示パネル３ａが下方に相対した状態で収容される。表示ユニット３は、機器本体２内に収容されると、ディスクプレーヤ５上に重ねられた格好となる。表示ユニット３は、開口部２ａを通して駆動機構４により機器本体２内外に移動自在である。表示ユニット３の表示パネル３ａは、前述したナビゲーションユニットと、ＤＶＤプレーヤと、テレビチューナからの情報を表示する。
【００２６】
また、前述した表示ユニット３の機器本体２内に収容されると前記前面２ｄ側に露出する端面と、後述する視認位置において筐体部材３ｂの表示パネル３ａの下方に位置する部分には、図４及び図８に示すように、操作手段としての操作部１３が設けられている。操作部１３は、複数の操作ボタン１４などを備えている。これらの操作ボタン１４即ち操作部１３は、前述した表示パネル３ａに表示する情報を、ナビゲーションユニットからの情報と、ＤＶＤプレーヤからの情報と、テレビチューナからの情報とを切り換えるためなどに用いられる。また、操作ボタン１４即ち操作部１３は、機器本体２内から表示ユニット３を出し入れするためや、後述の視認位置で、表示ユニット３の向きを調整するためなどに用いられる。このため、操作ボタン１４即ち操作部１３は、視認位置にある表示ユニット３を後述の収容位置に移動させるための指令を発する。
【００２７】
ディスクプレーヤ５は、機器本体２内に収容され、かつ、前述した挿入口２ｂを通して記録媒体としてのＤＶＤ―ＲＯＭやＤＶＤビデオが出し入れされる。ディスクプレーヤ５は、図示しないナビゲーションユニットとＤＶＤプレーヤとテレビチューナなどを備えている。即ち、カーナビ１は、ナビゲーションユニットと、ＤＶＤプレーヤと、テレビチューナを更に備えている。
【００２８】
ナビゲーションユニットは、前述した自動車の走行距離センサから該自動車のタイヤの回転に対応して車速パルス信号が入力する。ナビゲーションユニットは、前述した奥行き方向Ｙの加速度を検出する加速度センサや、ＧＰＳ（Global Positioning System：全地球測位システム）などを備えている。ナビゲーションユニットは、前述した加速度センサやＧＰＳなどを用いて、自動車の位置を測定したり、自動車の移動方向などを算出する。そして、ナビゲーションユニットは、自動車の位置や移動方向などを表示ユニット３の後述する表示パネル３ａに表示する。
【００２９】
ＤＶＤプレーヤは、周知のＤＶＤ（Digital Versatile Disk）―ＲＯＭ（Read Only Memory）やＤＶＤビデオなどを再生して、これらのＤＶＤ―ＲＯＭやＤＶＤビデオなどからの情報を表示ユニット３の表示パネル３ａに表示する。テレビチューナは、テレビ放送を受信して、受信して得た映像を表示ユニット３の表示パネル３ａに表示する。
【００３０】
駆動機構４は、図９及び図１０に示すように、固定部７と、スライド部１２と、回動部１５とを備えている。固定部７は、ラック２０を備えている。ラック２０は、機器本体２内に収容されかつ該機器本体２に固定されている。ラック２０は、直線状に形成されており、その長手方向は、前述した奥行き方向Ｙと平行に配置されている。ラック２０は、機器本体２の奥行き方向Ｙの全長に亘って設けられている。図示例では、ラック２０は、機器本体２の天井の内面に設けられている。
【００３１】
スライド部１２は、スライドシャーシ２１と、第１モータ２２と、ウォーム歯車２３とを備えている。スライドシャーシ２１は、板金などで構成されており、機器本体２外に排出された状態の表示ユニット３の機器本体２寄りの一端部３ｃを、幅方向Ｘと平行な軸芯を中心として回転自在に支持している。第１モータ２２は、スライドシャーシ２１に固定されている。第１モータ２２の出力軸にはウォーム２４が取り付けられている。ウォーム歯車２３は、スライドシャーシ２１に幅方向Ｘを中心として回転自在に支持されている。ウォーム歯車２３は、ウォーム２４とラック２０との双方と噛み合っている。
【００３２】
スライド部１２は、第１モータ２２が例えば正転駆動すると、ラック２０上をウォーム歯車２３が走行して、スライドシャーシ２１即ち表示ユニット３を機器本体２内から開口部２ａを通して機器本体２外に向かって移動する。スライド部１２は、第１モータ２２が例えば逆転駆動すると、ラック２０上をウォーム歯車２３が走行して、スライドシャーシ２１即ち表示ユニット３を機器本体２外から開口部２ａを通して機器本体２内に向かって移動する。
【００３３】
回動部１５は、第２モータ２５と、連結歯車２６と、回動軸用歯車２７とを備えている。第２モータ２５は、スライドシャーシ２１に固定されており、その出力軸にピニオン２８が取り付けられている。連結歯車２６は、スライドシャーシ２１に幅方向Ｘを中心として回転自在に支持されており、ピニオン２８と噛み合っている。回動軸用歯車２７は、表示ユニット３の前述した一端部３ｃに固定されている。回動軸用歯車２７は、連結歯車２６と噛み合っている。
【００３４】
前述した構成によって、回動部１５は、例えば、第２モータ２５が正転駆動すると、前述した一端部３ｃを中心として、幅方向Ｘ回りに表示ユニット３を立ち上げる方向に回転する。回動部１５は、第２モータ２５が逆転駆動すると、前述した一端部３ｃを中心として、幅方向Ｘ回りに表示ユニット３を立ち下げる方向に回転する。
【００３５】
前述した構成によって、駆動機構４は、第１モータ２２が例えば正転駆動してウォーム歯車２３がラック２０上を走行して、スライドシャーシ２１即ち表示ユニット３を機器本体２内に収容された収容位置（図９に示す）から機器本体２外に排出された排出位置（図１０に示す）に向かって、矢印Ｙ即ち機器本体２の奥行き方向Ｙに沿って、表示ユニット３を移動する。即ち、駆動機構４は、第１モータ２２が例えば正転駆動すると、開口部２ａを通して、機器本体２内の表示ユニット３を機器本体２外に排出させる。
【００３６】
また、駆動機構４は、第１モータ２２が例えば逆転駆動すると、ウォーム歯車２３がラック２０上を走行して、スライドシャーシ２１即ち表示ユニット３を前述の排出位置から収容位置に向かって、矢印Ｙ即ち機器本体２の奥行き方向Ｙに沿って移動する。即ち、駆動機構４は、第１モータ２２が例えば逆転駆動すると、開口部２ａを通して、機器本体２外の表示ユニット３を機器本体２内に収容する。こうして、駆動機構４は、機器本体２内に収容された収容位置と、機器本体２内から排出された排出位置とに亘って、表示ユニット３などを移動する。即ち、駆動機構４は、図５に示す収容位置と、図６に示す位置と、図７に示す排出位置とに順に表示ユニット３などを移動する。
【００３７】
さらに、前述した構成によって、駆動機構４は、第２モータ２５が例えば正転駆動すると、機器本体２内から排出されて即ち収容位置から移動されて排出位置の初期位置（図７及び図１０中に実線で示す）に位置付けられた表示ユニット３を、当該排出位置において、前述した一端部３ｃを中心として回転して、表示パネル３ａが乗員室内の乗員などと相対する例えば図８及び図１０中に二点鎖線で示す視認位置に位置付ける。なお、本明細書では、機器本体２外に位置付けられた表示ユニット３は、排出位置に位置付けられているという。即ち、本明細書では、視認位置と初期位置とは排出位置の一部である。また、本明細書では、排出位置において表示パネル３ａが下方に相対する状態を、表示ユニット３が排出位置の初期位置（図９中に実線で示す）に位置付けられているという。視認位置とは、初期位置から一端部３ｃを中心として回転された位置をいう。
【００３８】
また、駆動機構４は、第２モータ２５が例えば逆転駆動すると、前述した図８に示す視認位置に位置付けられた表示ユニット３を、前述した一端部３ｃを中心として回転して、表示パネル３ａが下方に相対する前述した図７に示す排出位置の初期位置に向かって移動させる。このように、駆動機構４は、収容位置と、当該収容位置から機器本体２外に排出された排出位置とに亘って、表示ユニット３を移動させる。また、駆動機構４は、排出位置において、一端部３ｃを中心として表示ユニット３を回転させて、表示パネル３ａに表示した情報を乗員に視認させる視認位置に表示ユニット３を変位する。
【００３９】
このように、駆動機構４は、一端部３ｃを中心として表示ユニット３を回転することで、機器本体２外に排出された表示ユニット３を立ち上げて視認位置に位置付けるとともに、当該視認位置から表示ユニット３を立ち下げて機器本体２から排出された排出位置の初期位置に表示ユニット３を位置付ける。なお、立ち上げるとは、排出位置の表示ユニット３を初期位置から視認位置に向かって変位させることをいい、立ち下げるとは、排出位置の表示ユニット３を視認位置から初期位置に向かって変位させることをいう。
【００４０】
また、前述したカーナビ１は、図１１に示すように、表示ユニット３が機器本体２外に排出されて前述した視認位置に位置付けられると、表示ユニット３とディスクプレーヤ５との間に隙間２ｃが生じてしまう。この隙間２ｃは、開口部２ａを通して表示ユニット３を機器本体２に出し入れするために、表示ユニット３の厚みより開口部２ａの厚みが大きくなることで生じる隙間であり、勿論、開口部２ａの一部（当該開口部２ａの表示ユニット３と挿入口２ｂとの間に位置する部分）である。
【００４１】
侵入阻止部６は、図１１に示すように、駆動シャフト８と、図示しない付勢手段としてのばねと、押圧部９とを備えている。駆動シャフト８は、図１２に示すように、円柱状のシャフト１６と、連動突起１７と、阻止突起１８とを備えている。
【００４２】
シャフト１６は、その長手方向が幅方向Xと平行となり、かつ前記隙間２ｃ内の前面２ｄ寄りの箇所に配置されている。シャフト１６は、その軸芯周りに回転自在に機器本体２に支持されている。
【００４３】
連動突起１７は、シャフト１６の長手方向の一端部に設けられ、当該シャフト１６の外表面から凸に形成されている。阻止突起１８は、シャフト１６の長手方向の中央部に設けられ、当該シャフト１６の外表面から凸に形成されている。阻止突起１８は、連動突起１７よりもシャフト１６の長手方向の長さが長く形成されている。また、連動突起１７と、阻止突起１８とは、シャフト１６の周方向に約９０度位置がずれた位置に配置されている。さらに、阻止突起１８は、シャフト１６の周方向の位置が連動突起１７よりも表示ユニット３が機器本体２外に排出される際にシャフト１６の回転方向Ｋ（図１２中に矢印で示す）の逆方向側に配置されている。
【００４４】
ばねは、シャフト１６を前述した回転方向Ｋの逆向きに付勢している。また、駆動シャフト８は、連動突起１７が隙間２ｃを塞ぐ位置（図１４に示す）でかつ阻止突起１８が隙間２ｃと略平行な位置（図１３に示す）と、連動突起１７が隙間２ｃと略平行な位置（図１７に示す）かつ阻止突起１８が隙間２ｃを塞ぐ位置（図１６に示す）とを超えて回転することが機器本体２により規制されている。
【００４５】
押圧部９は、スライドシャーシ２１からディスクプレーヤ５即ち隙間２ｃに向かって凸に形成されている。押圧部９は、スライドシャーシ２１を構成する板金の一部がディスクプレーヤ５即ち隙間２ｃに向かって凸に折り曲げられて得られる。押圧部９は、表示ユニット３が機器本体２内に収容された状態で、駆動シャフト８の連動突起１７と間隔をあけかつ奥行き方向Ｙに当該連動突起１７と並ぶ位置に配置されている。
【００４６】
また、押圧部９は、表示ユニット３が機器本体２外に向かって排出されて排出位置の初期位置の直前に位置すると、駆動シャフト８の連動突起１７と接触する位置に配置されている。さらに、押圧部９は、表示ユニット３が排出位置の初期位置に位置すると、駆動シャフト８の連動突起１７を押圧して、阻止突起１８が隙間を塞ぐ位置まで当該駆動シャフト８を回転させる位置に配置されている。
【００４７】
前述した侵入阻止部６は、表示ユニット３が収容位置に位置付けられると、図１４に示すように、押圧部９が連動突起１７と間隔をあけている。また、図１３に示すように、ばねの付勢力により連動突起１７が隙間２ｃを塞ぎかつ阻止突起１８が隙間２ｃを塞いでいない状態に駆動シャフト８が位置付けられている。
【００４８】
駆動機構４により表示ユニット３が開口部２ａを通して機器本体２外に排出されていくと、表示ユニット３が排出位置の初期位置の直前に位置すると、図１５に示すように、押圧部９が連動突起１７に接触する。さらに、表示ユニット３が開口部２ａを通して機器本体２外に排出されるのに連動して、押圧部９が連動突起１７を開口部２ａ側に向かって押圧して、駆動シャフト８を矢印Ｋに沿って回転させる。
【００４９】
そして、図１７に示すように、連動突起１７が隙間２ｃを塞いでいない状態に駆動シャフト８が位置付けられ、図１６に示すように、阻止突起１８が隙間２ｃを塞いだ状態に駆動シャフト８が位置付けられる。こうして、押圧部９は、表示ユニット３が機器本体２外に排出される際に連動突起１７を押圧して、シャフト１６を回転させて阻止突起１８が隙間２ｃを塞ぐ位置に位置付ける。そして、侵入阻止部６は、隙間２ｃ内に侵入しようとするＤＶＤ等のディスクを隙間２ｃを塞いだ阻止突起１８に接触させることで、機器本体２の前面２ｄにおいて表示ユニット３とディスクプレーヤ５との間に設けられた隙間２ｃにＤＶＤ等のディスクが侵入することを阻止する。
【００５０】
本実施例によれば、侵入阻止部６が、連動突起１７及び阻止突起１８を設けたシャフト１６と、連動突起１７を押圧する押圧部９とにより構成されているので、当該侵入阻止部６の部品点数を削減できる。また、前述したカーナビ１は、駆動シャフト８と押圧部９により侵入阻止部６を構成しているので、設置に係るスペースを削減できる。よって、前述したカーナビ１は、機器本体２内部の部品の配置に与える影響を抑制することができる。
【００５１】
また、阻止突起１８を連動突起１７よりもシャフト１６の回転方向Ｋの上流側に配置している。このため、表示ユニット３が機器本体２外に排出された状態で阻止突起１８をＤＶＤ等のディスクなどが押圧しても、連動突起１７と押圧部９とが互いに干渉して、阻止突起１８が倒れる方向にシャフト１６が回転することを防止できる。したがって、阻止突起１８が、ＤＶＤ等のディスクなどが隙間２ｃに侵入することを確実に防止できる。
【００５２】
さらに、阻止突起１８をシャフト１６の長手方向の中央部に設けている。このため、当該阻止突起１８が隙間２ｃの中央に位置するので、阻止突起１８が、ＤＶＤ等のディスクなどが隙間２ｃに侵入することをより確実に防止できる。
【００５３】
また、連動突起１７をシャフト１６の長手方向の一端部に設けている。このため、連動突起１７により、シャフト１６の中央部に設けられた阻止突起１８を小さくなることを防止でき、当該阻止突起１８の寸法を大きくとることができる。したがって、阻止突起１８が、ＤＶＤ等のディスクなどが隙間２ｃに侵入することをより一層確実に防止できる。
【００５４】
前述した実施例によれば、以下のカーナビ１が得られる。
【００５５】
（付記）  機器本体２と、
前記機器本体２内に設けられかつ前記機器本体２から出し入れ自在に設けられた表示ユニット３と、
前記機器本体２内に設けられかつ前記表示ユニット３に重ねられるディスクプレーヤ５と、
前記機器本体２の前面２ｄにおいて前記表示ユニット３と前記ディスクプレーヤ５との間に設けられた隙間２ｃに記録媒体が侵入することを阻止する侵入阻止部６と、を備えたカーナビ１において、
前記侵入阻止部６は、前記隙間２ｃ内に回転自在に設けられたシャフト１６と、前記シャフト１６の外表面から凸の連動突起１７と、前記シャフト１６の外表面から凸でかつ前記隙間２ｃへの前記記録媒体の侵入を阻止する阻止突起１８と、前記表示ユニット３が前記機器本体２外に排出される際に前記連動突起１７を押圧して、前記シャフト１６を回転させて前記阻止突起１８が前記隙間２ｃを塞ぐ位置に位置付ける押圧部９と、を備えたことを特徴とするカーナビ１。
【００５６】
付記によれば、侵入阻止部６が、連動突起１７及び阻止突起１８を設けたシャフト１６と、連動突起１７を押圧する押圧部９とにより構成されているので、当該侵入阻止部６の部品点数を削減できる。また、前述したカーナビ１は、駆動シャフト８と押圧部９により侵入阻止部６を構成しているので、設置に係るスペースを削減できる。よって、前述したカーナビ１は、機器本体２内部の部品の配置に与える影響を抑制することができる。
【００５７】
なお、前述した実施例は、本発明の代表的な形態を示したに過ぎず、本発明は、実施例に限定されるものではない。即ち、本発明の骨子を逸脱しない範囲で種々変形して実施することができる。例えば、押圧部９の構成や連動突起１７及び阻止突起１８の構成などを種々変更しても良い。また、ばねを用いることなく押圧部９と連動突起１７の形状を種々変更して、押圧部９の移動により駆動シャフト８を連動させて回転するようにしても良い。
【図面の簡単な説明】
【００５８】
【図１】従来のカーナビの侵入阻止部などを示す平面図である。
【図２】図１に示されたカーナビの表示ユニットが機器本体外に排出された状態を示す平面図である。
【図３】図２に示された状態の侵入阻止部を拡大して示す斜視図である。
【図４】本発明の一実施例にかかる電子機器としてのカーナビが自動車のインパネに取り付けられた状態を示す斜視図である。
【図５】図４に示されたカーナビの表示ユニットが収容位置に位置付けられた状態を示す斜視図である。
【図６】図５に示された表示ユニットが機器本体内から徐々に排出される状態を示す斜視図である。
【図７】図６に示された表示ユニットが排出位置の初期位置に位置付けられた状態を示す斜視図である。
【図８】図７に示された表示ユニットが排出位置の初期位置から視認位置に変位した状態を示す斜視図である。
【図９】図５に示されたカーナビの要部の断面図である。
【図１０】図７に示されたカーナビの要部の断面図である。
【図１１】図８に示されたカーナビの機器本体から前面を含んだパネルを取り外した状態を示す斜視図である。
【図１２】図１１に示されたカーナビの侵入阻止部の駆動シャフトの斜視図である。
【図１３】図５中のＸＩＩＩ−ＸＩＩＩ線に沿う断面図である。
【図１４】図５中のＸＩＶ−ＸＩＶ線に沿う断面図である。
【図１５】図１４に示されたカーナビの押圧部と連動突起とが接触した状態を示す断面図である。
【図１６】図８中のＸＶＩ−ＸＶＩ線に沿う断面図である。
【図１７】図８中のＸＶＩＩ−ＸＶＩＩ線に沿う断面図である。
【符号の説明】
【００５９】
１  カーナビ（電子機器）
２  機器本体
２ｃ  隙間
２ｄ  前面
３  表示ユニット（第１機器）
５  ディスクプレーヤ（第２機器）
６  侵入阻止部
９  押圧部
１６  シャフト
１７  連動突起
１８  阻止突起
Ｋ  回転方向
【図１】
2009266313.tif 000003
【図２】
2009266313.tif 000004
【図３】
2009266313.tif 000005
【図４】
2009266313.tif 000006
【図５】
2009266313.tif 000007
【図６】
2009266313.tif 000008
【図７】
2009266313.tif 000009
【図８】
2009266313.tif 000010
【図９】
2009266313.tif 000011
【図１０】
2009266313.tif 000012
【図１１】
2009266313.tif 000013
【図１２】
2009266313.tif 000014
【図１３】
2009266313.tif 000015
【図１４】
2009266313.tif 000016
【図１５】
2009266313.tif 000017
【図１６】
2009266313.tif 000018
【図１７】
2009266313.tif 000019